(57)【要約】【課題】任意文字列の検索によるジャーナルデータの閲覧を可能とする。【解決手段】ジャーナルデータのジャーナルログ検索画面５１に表示された任意文字列を選択する選択ボタン５２と、任意文字列を入力するキーボード２７と、このキーボード２７により入力された前記任意文字列と一致するジャーナルデータを電子ジャーナルファイル２４から検索するジャーナル検索手段と、このジャーナル検索手段により検索された当該ジャーナルデータと前記任意文字列を表示するジャーナル画面６２を備える。【選択図】      図５
2014006774.tif 000002
【特許請求の範囲】
【請求項１】
商取引された商取引データのジャーナルデータを電子的に保存する電子ジャーナルファイルを有する商品販売データ処理装置において、
前記ジャーナルデータの検索条件を特定可能にするジャーナルログ検索画面を表示する表示部と、
前記ジャーナルログ検索画面に表示された検索条件から任意文字列を選択する検索条件選択手段と、
この検索条件選択手段により選択された前記任意文字列の任意文字列入力エリアに当該任意文字列を入力する入力部と、
この入力部により入力された前記任意文字列と一致するジャーナルデータを前記電子ジャーナルファイルから検索するジャーナルデータ検索手段と、
このジャーナルデータ検索手段により検索された当該ジャーナルデータと検索文字列をジャーナル画面に表示するジャーナル画面表示手段と、
を備えたことを特徴とする商品販売データ処理装置。
【請求項２】
商取引された商取引データを電子的に記録する電子ジャーナル機能を有した商品販売データ処理装置において、
前記ジャーナルデータの検索条件を特定可能にするジャーナルログ検索画面を表示する表示部と、
前記ジャーナルログ検索画面に表示された検索条件から任意文字列を選択する検索条件選択手段と、
この検索条件選択手段により選択された前記任意文字列の任意文字列入力エリアに当該任意文字列を入力する入力部と、
前記ジャーナルログ検索画面のオプション設定の取引を指定する取引指定手段と、
この取引指定手段により指定されると前記入力部により入力された当該任意文字列と一致するジャーナルデータを検索するジャーナルデータ検索手段と、
このジャーナルデータ検索手段により検索された当該ジャーナルデータと検索文字列をオプション画面の上段に表示するオプション画面表示手段と、
を備えたことを特徴とする商品販売データ処理装置。
【請求項３】
商取引された商取引データを電子的に記録する電子ジャーナル機能を有した商品販売データ処理装置において、
前記ジャーナルデータの検索条件を特定可能にするジャーナルログ検索画面を表示する表示部と、
前記ジャーナルログ検索画面に表示された検索条件から任意文字列を選択する検索条件選択手段と、
この検索条件選択手段により選択された前記任意文字列の任意文字列入力エリアに当該任意文字列を入力する入力部と、
前記ジャーナルログ検索画面のオプション設定の検索文字を指定する検索文字指定手段と、
この検索文字指定手段により指定されると前記入力部により入力された当該任意文字列と一致するジャーナルデータを検索するジャーナルデータ検索手段と、
このジャーナルデータ検索手段により検索された当該ジャーナルデータと検索文字列をオプション画面の上段に表示するオプション画面表示手段と、
を備えたことを特徴とする商品販売データ処理装置。
【発明の詳細な説明】
【技術分野】
【０００１】
本発明の実施の形態は、電子ジャーナル機能を有するＰＯＳ（Point Of Sales：販売時点情報管理）端末などの商品販売データ処理装置に関する。
【背景技術】
【０００２】
近年、ＰＯＳ端末等の商品販売データ処理装置の中には、ＨＤＤ（Hard Disk Drive）装置を搭載し、レシート用紙への印字データに対応したジャーナルデータを前記ＨＤＤ装置の電子ジャーナルファイルに蓄積保存するようにしたものがある。
【０００３】
この種の商品販売データ処理装置は、電子的に保存されたジャーナルデータを表示部に表示させて商取引の履歴を確認したり、レシート用紙に印字させてレシートを再発行させたりできる利点がある。ただし、そのためには、電子ジャーナルファイルに保存されたすべてのジャーナルデータの中から必要とするジャーナルデータを検索する必要がある。
【０００４】
そこで従来、取引番号や取引日付・時刻等の取引特定情報が検索条件として入力されると、電子ジャーナルファイルを検索して、その取引特定情報によって特定されるジャーナルデータを抽出し、このジャーナルデータを表示部に表示させ、また、レシート用紙に印字出力することを可能にした商品販売データ処理装置があった（例えば、特許文献１参照）。
【先行技術文献】
【特許文献】
【０００５】
【特許文献１】特開２００４−２０６３７２号公報
【発明の概要】
【発明が解決しようとする課題】
【０００６】
しかしながら、従来のこの種の商品販売データ処理装置においては、取引番号、取引日付等による検索しか検索できなかった。
【０００７】
そこで、本発明の実施の形態は、任意文字列を入力し検索を可能とすることで電子ジャーナル検索の汎用性を高めることが可能な商品販売データ処理装置提供しようとするものである。
【課題を解決するための手段】
【０００８】
本発明の実施の形態に係る商品販売データ処理装置は、商取引された商取引データのジャーナルデータを電子的に保存する電子ジャーナルファイルを有する商品販売データ処理装置において、前記ジャーナルデータの検索条件を特定可能にするジャーナルログ検索画面を表示する表示部と、前記ジャーナルログ検索画面に表示された検索条件から任意文字列を選択する検索条件選択手段と、この検索条件選択手段により選択された前記任意文字列の任意文字列入力エリアに当該任意文字列を入力する入力部と、この入力部により入力された前記任意文字列と一致するジャーナルデータを前記電子ジャーナルファイルから検索するジャーナルデータ検索手段と、このジャーナルデータ検索手段により検索された当該ジャーナルデータと検索文字列をジャーナル画面に表示するジャーナル画面表示手段と、を備えたものである。
【図面の簡単な説明】
【０００９】
【図１】本発明の一実施の形態に係るＰＯＳ端末の要部構成を示すブロック図。
【図２】同実施の形態に係るＰＯＳ端末のタッチパネルに表示されるジャーナルログ検索画面の一例を示す模式図。
【図３】同実施の形態に係るＰＯＳ端末のオプション設定の取引を指定した場合のタッチパネルに表示されるジャーナルログ確認画面の一例を示す模式図。
【図４】同実施の形態に係るＰＯＳ端末のオプション設定の文字検索を指定した場合のタッチパネルに表示されるジャーナルログ確認画面の一例を示す模式図。
【図５】同実施の形態に係るＰＯＳ端末におけるオプション設定の取引におけるジャーナル確認処理のステップを示すフローチャート。
【図６】同実施の形態に係るＰＯＳ端末におけるオプション設定の文字検索におけるジャーナル確認処理のステップを示すフローチャート。
【発明を実施するための形態】
【００１０】
以下、本発明に係る一実施の形態の商品販売データ処理装置について図面を用いて説明する。
【００１１】
なお、この実施の形態では、電子ジャーナル機能を有するＰＯＳ端末に本発明を適用した場合である。
【００１２】
図１は、本実施の形態に係るＰＯＳ端末１１の要部構成を示すブロック図である。
【００１３】
図１に示すように、ＰＯＳ端末１１は、制御部本体としてＣＰＵ（Central Processing Unit）２１を備えている。
【００１４】
そして、このＣＰＵ２１には、後述するジャーナルログ確認処理などのプログラムおよび固定的データが予め格納されたＲＯＭ（Read Only Memory）２２、商品販売データの登録処理等で必要な種々のメモリエリアが形成されるＲＡＭ（Random Access Memory）２３、ＨＤＤ（Hard Disk Drive）装置等によって構成された電子ジャーナルファイル２４、現在の日付および時刻を計時する時計部２５、当該ＰＯＳ端末の上位機であるストアコンピュータと通信回線を介して行うデータ通信を制御する通信コントローラ２６、商品データ等を入力するための各種キーが配設されたキーボード２７から操作キーに対応したキー信号を取り込むキーボードコントローラ２８、オペレータ用の表示器であるタッチパネル２９への画面表示を制御するとともにタッチ操作に対応した位置座標信号を取り込むタッチパネルコントローラ３０、客面表示器３１へのデータ表示を制御する表示コントローラ３２、プリンタ３３によるレシート印字および発行を制御するプリンタコントローラ３４、スキャナ３５で読み取られたバーコードデータを取り込むスキャナコントローラ３６、モード設定スイッチ３７からの信号が入力されるとともにドロワ３８に対する開放指令信号が出力されるＩ／Ｏ（Input・Output）ポート３９等を搭載している。
【００１５】
そして、ＣＰＵ２１と、ＲＯＭ２２、ＲＡＭ２３、電子ジャーナルファイル２４、時計部２５、通信コントローラ２６、キーボードコントローラ２８、タッチパネルコントローラ３０、表示コントローラ３２、プリンタコントローラ３４、スキャナコントローラ３５
およびＩ／Ｏポート３９とは、アドレスバス、データバスなどのバスライン４０で接続している。
【００１６】
前記キーボード２７は、たとえば、サインオンを行うための責任者キー、置数入力のためのテンキー、部門別登録のための複数の部門キー、単品登録のための複数の商品キー、合計金額の算出に使用する小計キー、登録の締めに使用される預／現計キー、入力データをクリアするためのクリアキー等の商取引にかかわるデータ等を入力するための各種キーを配設したものである。キーボード２７は、入力部として機能する。
【００１７】
そして、キー操作に応じてキーボード２７から出力されるキー信号をキーボードコントローラ２８で入力処理するようになっている。
【００１８】
前記タッチパネル２９は、入力部を介して入力された商取引にかかわるデータをもとに処理される商品販売データ等を表示するもので、キャッシャと称されるオペレータに対する表示部として機能する。このタッチパネル２９の画面タッチ操作により変化する信号を当該タッチパネルコントローラ３０に入力するようになっている。このタッチパネルコントローラ３０によりタッチパネル２９の画面表示を制御する。
【００１９】
次に、タッチパネル２９に表示される各種画面について説明する。
【００２０】
先ず、図２は、ジャーナルログ検出画面５１の一例を示す模式図である。図２に示すように、ジャーナルログ検出画面５１には、「取引番号」、「日付・時刻」、「任意文字列」等の検索条件を選択する検索条件選択ボタン５２、それぞれの検索条件に対応した入力エリアが設けられている。さらに、ジャーナルログ検索を実行させるための「実行」、「検索条件」、「文字列検索」、ジャーナルログ検索画面を終了して閉じるための「終了」および「任意文字列」に対応したオプション設定可能とする「取引」、「検索文字」等の各種ボタン画像が表示されている。
【００２１】
ここで、オプション設定の「取引」とは、「取引」ボタンが指定された場合に、検索結果、検索された検索文字列を含むジャーナルデータをオプション画面の上段に表示することである。
【００２２】
また、オプション設定の「検索文字」とは、「検索文字」ボタンが指定された場合に、検索結果、検索された検索文字列をオプション画面の上段に表示することである。
【００２３】
なお、「任意文字列」に対応したオプション設定を行わないで「実行」ボタンを指定した場合には、検索されたジャーナルデータと検索文字列を、ジャーナル画面６２に表示されるようになっている。
【００２４】
図３は、ジャーナルログ確認画面６１の一例を示す模式図である。図２のジャーナルログ検索画面５１において、検索条件選択ボタン５２の「任意文字列」ボタンを選択し任意文字列入力エリアに「００００２８３６」を入力し、オプション設定「取引」を指定した場合に、図３に示すようにジャーナルログ確認画面６１が表示される。
【００２５】
図３に示すように、ジャーナルログ確認図面６１は、電子ジャーナルファイル２４に保存されているジャーナルデータを表示するためのジャーナル画面６２が形成されている。
【００２６】
また、ジャーナル画面６２に対してスクロールバー６３が並設表示されており、このスクロールバー６３を操作することによって前後のジャーナルデータがスクロール表示されるようになっている。
【００２７】
さらに、ジャーナル画面６２内には、図２のオプション設定「取引」ボタンが指定されたときには、オプション画面６４が形成される。
【００２８】
このオプション画面６４には、ジャーナルデータと検索文字列とが表示されるようになっている。このように、ジャーナルデータと検索文字列とがオプション画面６４内の上段に表示されることによりオペレータが入力した任意文字列による検索文字列とジャーナルデータを容易に確認することが可能となり、ジャーナルデータの閲覧が迅速に処理されることになる。
【００２９】
また、前ファイル、次ファイル、前頁、次頁、前行、次行、前取引、次取引、前検索、次検索、印字、条件入力、文字列検索、戻る等の画像ボタンが形成されている。
【００３０】
図４は、ジャーナルログ確認画面７１の一例を示す模式図である。図２のジャーナルログ検索画面５１において、「任意文字列」ボタンを選択し任意文字列入力エリアに「９９０００００６」を入力し、オプション設定「検索文字」を指定した場合に、図４に示すようにジャーナルログ確認画面７１が表示される。
【００３１】
図４に示すように、ジャーナルログ確認図面７１は、電子ジャーナルファイル２４に保存されているジャーナルデータを表示するためのジャーナル画面６２が形成されている。
【００３２】
また、図３と同様に、ジャーナル画面６２に対してスクロールバー６３が並設表示されており、このスクロールバー６３を操作することによって前後のジャーナルデータがスクロール表示されるようになっている。
【００３３】
さらに、ジャーナル画面６２内には、図２のオプション設定「検索文字」が指定されたときには、オプション画面６４が形成される。
【００３４】
このオプション画面６４には、上段に検索された検索文字列が表示されるようになっている。このように、検索された検索文字列がオプション画面６４の上段に表示されることによりオペレータが入力した任意文字列に関するジャーナルデータを容易に確認することが可能となり、ジャーナルデータの閲覧が迅速に処理されることになる。
【００３５】
また、図３と同様に、前ファイル、次ファイル、前頁、次頁、前行、次行、前取引、次取引、前検索、次検索、印字、条件入力、文字列検索、戻る等の画像ボタンが形成されている。
【００３６】
前記客面表示器３１は、買物客に対して前記商品販売データ等を表示するものである。この客面表示器３１に対応して表示コントローラ３２を設けており、この表示コントローラ３２により客面表示器３１の画面表示を制御する。
【００３７】
前記スキャナ３５は、商品に付けられているバーコードをスキャニング入力するもので、キーボード２７と同様に入力部として機能する。このスキャナ３５によりスキャニングされたバーコードデータを当該スキャナコントローラ３６で入力処理するようになっている。
【００３８】
当該ＰＯＳ端末は、「登録」、「点検」、「精算」、「設定」等の各種業務モードを選択可能であり、手動操作によりいずれかの業務モードが選択されると、その実行をＣＰＵ２１に指令するモード設定スイッチ３７を設けている。このモード設定スイッチ３７は、前記Ｉ／Ｏポート３９に接続されており、このＩ／Ｏポート３９を介してモード設定スイッチ３７の信号がＣＰＵ２１に与えられ、ＣＰＵ２１の動作を制御する。
【００３９】
さて、本実施の形態では、このモード設定スイッチ３７の操作により前記電子ジャーナルファイル２４に保存されたジャーナルデータを確認するためのジャーナルログ確認モードを選択可能とする。因みに、ジャーナルログ確認業務は、電子ジャーナルファイル２４に蓄積された商取引データの中から必要とするジャーナルデータを検索しタッチパネル２９に表示し確認する業務である。
【００４０】
すなわち、ジャーナルログ確認モードで、「任意文字列」ボタンを選択しタッチ操作し、その任意文字列入力エリアに任意文字列を入力し、任意文字列で販売処理された商取引データのジャーナルデータを検索して確認する方法である。
【００４１】
なお、検索対象の電子ジャーナルファイル２４は、自己のＰＯＳ端末１１のものに限定されずに、通信回線で接続された他のＰＯＳ端末１１の電子ジャーナルファイル２４も検索可能である。
【００４２】
次に、ＰＯＳ端末１１のジャーナルログ確認処理について説明する。
【００４３】
図５は、ＣＰＵ２１が実行するジャーナルログ確認処理の主要な処理ステップを示すフローチャートである。この処理は、前記モード設定スイッチ３７が切替え操作されてジャーナルログ確認モードが選択したことに応じて実行される。なお、図２におけるオプション設定「取引」ボタンを指定した場合について説明を行う。
【００４４】
先ず、ＣＰＵ２１は、ステップＳＴ１１としてタッチパネル２９に、図２に示すレイアウトのジャーナルログ検索画面５１を表示させる。
【００４５】
ＣＰＵ２１は、タッチパネル２９に前記ジャーナルログ検索画面５１を表示後、ステップＳＴ１２として、任意文字列によるジャーナルログ検索するために設けられた「任意文字列」の検索条件選択ボタン５２を選択すると、ＣＰＵ２１は、ステップＳＴ１３として、「任意文字列入力エリア」にキーボード２７のテンキーによりたとえば「００００２８３６」の任意文字列の入力処理を行う。
【００４６】
ＣＰＵ２１は、ステップＳＴ１４としてタッチパネル２９のオプション設定の「取引」ボタンをタッチ操作すると、ＣＰＵ２１は、ステップＳＴ１５として入力された任意文字列「００００２８３６」と一致するジャーナルデータが電子ジャーナルファイル２４から検索する。そして検索されたジャーナルデータと検索文字列とを図３に示すように、ジャーナルログ確認画面６１のオプション画面６４に、検索された検索文字列に対応したジャーナルデータが表示される。
【００４７】
そして、オペレータは、オプション画面６４に表示されたジャーナルデータと検索文字列を同時に表示することで、ジャーナルデータを閲覧し、迅速に確認処理することが可能となる。
【００４８】
図６は、ＣＰＵ２１が実行するジャーナルログ確認処理の主要な処理ステップを示すフローチャートである。この処理は、図２におけるオプション設定の「検索文字」ボタンを指定した場合について説明を行う。なお、図５のオプション設定の「取引」と同様のステップについては、説明を省略する。
【００４９】
ＣＰＵ２１は、ＣＰＵ２１は、ステップＳＴ２１として、「任意文字列入力エリア」にキーボード２７のテンキーによりたとえば「９９０００００６」の任意文字列の入力処理を行う。
【００５０】
ＣＰＵ２１は、ステップＳＴ２２としてタッチパネル２９のオプション設定の「文字検索」ボタンを指定しタッチ操作すると、ＣＰＵ２１は、ステップＳＴ２１として入力された検索する任意文字列「９９０００００６」と一致するジャーナルデータが電子ジャーナルファイル２４から検索される。その検索された検索文字列を図４に示すように、ジャーナルログ確認画面７１のジャーナル画面６２のオプション画面６４の上段に検索文字列と関連データが表示される。
【００５１】
そして、オペレータは、オプション画面６４に表示された検索文字列のジャーナルデータを閲覧することで、ジャーナルデータを迅速に確認処理することが可能となる。
【００５２】
この実施の形態のＰＯＳ端末１１によると、ジャーナルログ検索画面５１から簡易操作で任意文字列を入力し、ジャーナルデータを電子ジャーナルファイル２４から検索し、この検索された検索文字列とジャーナルデータをジャーナル画面６２に表示し、この表示されたジャーナルデータをビジュアルでの確認処理が可能になる。
【００５３】
また、ジャーナルログ検索画面５１から簡易操作で任意文字列を入力し、オプション設定「取引」ボタンを指定し、その入力した任意文字列と一致したジャーナルデータを電子ジャーナルファイル２４から検索し、この検索された検索文字列とジャーナルデータをオプション画面６４の上段に表示し、この表示されたジャーナルデータをビジュアルでの確認処理が可能になる。
【００５４】
また、ジャーナルログ検索画面５１から簡易操作で任意文字列を入力し、オプション設定「検索文字」ボタンを指定し、その入力した任意文字列と一致したジャーナルデータを電子ジャーナルファイル２４から検索し、この検索された検索文字列をオプション画面６４に表示し、この表示された検索文字列に関連する取引データをビジュアルでの確認処理が可能になる。
【００５５】
このように、本実施の形態によるＰＯＳ端末１１は、任意文字列を入力し検索を可能とすることで、電子ジャーナル検索の汎用性を高めることが可能となる。
【００５６】
なお、この発明は、前記実施の形態そのままに限定されるものではなく、実施の段階ではその要旨を逸脱しない範囲で構成要素を変形して具体化できる。
【００５７】
入力部としてキーボード２７により任意文字列を入力するように説明したが、たとえば、タッチパネル２９に入力部としての機能をもたせ、任意文字列を入力するようにしてもよい。
【００５８】
なお、図２に示したジャーナルログ検索画面５１は一例であり、当該画面のレイアウトに格別な限定はなく、種々変形可能である。
【００５９】
また、図３および図４に示したジャーナルログ確認画面６１、７１は一例であり、当該画面のレイアウトに格別な限定はなく、ジャーナル画面６２およびオプション画面６４さえ確保されていれば種々変形可能であるのは言うまでもないことである。
【００６０】
本発明は前記実施の形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【符号の説明】
【００６１】
１１…ＰＯＳ端末、２１…ＣＰＵ、２２…ＲＯＭ、２３…ＲＡＭ、２４…電子ジャーナルファイル、２７…キーボード、２９…タッチパネル、３３…プリンタ、３５…スキャナ、５１…ジャーナルログ検索画面、５２…検索条件選択ボタン、６１、７１…ジャーナルログ確認画面、６２…ジャーナル画面、６４…オプション画面。
【図１】
2014006774.tif 000003
【図２】
2014006774.tif 000004
【図３】
2014006774.tif 000005
【図４】
2014006774.tif 000006
【図５】
2014006774.tif 000007
【図６】
2014006774.tif 000008